(57)【要約】【課題】  本発明の目的は、データ転送中にシャッターチャンスが訪れた場合にも、そのシャッターチャンスを逃さずに撮影が可能な電子カメラを提供することである。【解決手段】  本発明の電子カメラ（１１〜３３）は、外部の装置との間でデータ転送を行う電子カメラであって、外部の装置との通信が可能であるか否かを検出して、通信が可能である場合にはデータ転送を実行し、通信が可能でない場合にはデータ転送を中断して自動的に撮影モードへ移行する制御手段（１１）を備える。【選択図】  図１
2011049953.tif 000002
【特許請求の範囲】
【請求項１】
外部の装置との間でデータ転送を行う電子カメラであって、
前記外部の装置との通信が可能であるか否かを検出して、前記通信が可能である場合には前記データ転送を実行し、前記通信が可能でない場合には前記データ転送を中断して自動的に撮影モードへ移行する制御手段
を備えることを特徴とする電子カメラ。
【請求項２】
請求項１に記載の電子カメラにおいて、
前記制御手段は、前記中断する際に、前記データ転送中であったデータを示す情報を記録しておき、前記撮影モードへの移行後に前記通信が可能となったことを検出した場合には、その記録した前記情報を基に特定した前記データ転送中であったデータから前記データ転送を再開する
ことを特徴とする電子カメラ。
【請求項３】
請求項１または請求項２に記載の電子カメラにおいて、
前記制御手段は、前記データ転送を実行する前に、予め、前記撮影モードでの撮影条件として、焦点調節レンズをパンフォーカス位置である過焦点距離位置にセットしておく
ことを特徴とする電子カメラ。
【請求項４】
請求項３に記載の電子カメラにおいて、
前記制御手段は、前記撮影モードで撮影ボタンが操作されときに、その半押しから所定時間が経過する前に全押しが行われた場合には、前記撮影条件によって撮影を行う
ことを特徴とする電子カメラ。
【請求項５】
請求項３または請求項４に記載の電子カメラにおいて、
前記制御手段は、前記撮影モードで撮影ボタンが操作されときに、その半押しから所定時間が経過した場合には、前記撮影条件を変更してＡＦ動作を実行する
ことを特徴とする電子カメラ。
【請求項６】
請求項１〜請求項５の何れか一項に記載の電子カメラにおいて、
前記制御手段は、前記外部の装置との通信を、近距離無線通信によって行う
ことを特徴とする電子カメラ。
【発明の詳細な説明】
【技術分野】
【０００１】
本発明は、外部の装置との間でデータ転送を行う電子カメラに関する。
【背景技術】
【０００２】
従来、外部の装置との間でデータ転送を行う電子カメラが知られている。その一例として、例えば、特許文献１には、撮影によって取得された画像データを外部の装置へ転送する電子カメラが開示されている。
【先行技術文献】
【特許文献】
【０００３】
【特許文献１】特開２００７−１０４４８０号公報
【発明の概要】
【発明が解決しようとする課題】
【０００４】
このような従来の電子カメラでは、データ転送中にシャッターチャンスが訪れた場合、ユーザーは、データ転送を一旦中止して撮影モードに切り替えるなどの操作を行わなければ撮影を行うことができなかった。そのため、撮影が行えるようになるまでに時間が掛かってしまい、結果として、ユーザーは、シャッターチャンスを逃してしまっていた。
【０００５】
本発明は、上記従来技術の課題を解決するためのものである。本発明の目的は、データ転送中にシャッターチャンスが訪れた場合にも、そのシャッターチャンスを逃さずに撮影が可能な電子カメラを提供することである。
【課題を解決するための手段】
【０００６】
第１の発明の電子カメラは、外部の装置との間でデータ転送を行う電子カメラであって、外部の装置との通信が可能であるか否かを検出して、通信が可能である場合にはデータ転送を実行し、通信が可能でない場合にはデータ転送を中断して自動的に撮影モードへ移行する制御手段を備える。
【０００７】
第２の発明は、第１の発明において、制御手段は、データ転送を中断する際に、「転送中であったデータ」を示す情報を記録しておき、撮影モードへの移行後に通信が可能となったことを検出した場合には、その記録した情報を基に特定した「転送中であったデータ」からデータ転送を再開する。
【０００８】
第３の発明は、第１または第２の発明において、制御手段は、データ転送を実行する前に、予め、撮影モードでの撮影条件として、焦点調節レンズをパンフォーカス位置である過焦点距離位置にセットしておく。
【０００９】
第４の発明は、第３の発明において、制御手段は、撮影モードで撮影ボタンが操作されときに、その半押しから所定時間が経過する前に全押しが行われた場合には、焦点調節レンズをパンフォーカス位置にセットした撮影条件によって撮影を行う。
【００１０】
第５の発明は、第３または第４の発明において、制御手段は、撮影モードで撮影ボタンが操作されときに、その半押しから所定時間が経過した場合には、焦点調節レンズをパンフォーカス位置にセットした撮影条件を変更してＡＦ動作を実行する。
【００１１】
第６の発明は、第１〜第５の発明の何れか一の発明において、制御手段は、外部の装置との通信を、近距離無線通信によって行う。
【発明の効果】
【００１２】
本発明の電子カメラでは、外部の装置との間でデータ転送を行っているときに、通信できない状態を検出すると、データ転送を中断して自動的に撮影モードへ移行する。即ち、本発明の電子カメラでは、例えば近距離無線通信によってデータ転送を行っているときにシャッターチャンスが訪れた場合には、ユーザーは、電子カメラを無線通信圏外へ移動させるなどして外部の装置と通信できない状態にすれば、即座に撮影が行えるようになる。
【００１３】
従って、本発明を利用すれば、ユーザーは、データ転送中にシャッターチャンスが訪れた場合にも、そのシャッターチャンスを逃さずに撮影を行うことができる。
【図面の簡単な説明】
【００１４】
【図１】本発明の実施形態の電子カメラの構成を示すブロック図。
【図２】撮影待機形データ転送機能に係る電子カメラの動作を示す流れ図（１／２）。
【図３】撮影待機形データ転送機能に係る電子カメラの動作を示す流れ図（２／２）。
【図４】電子カメラでのデータ転送と撮影とのモード切り替え方法を説明する図。
【発明を実施するための形態】
【００１５】
以下、本発明の実施形態を説明する。本実施形態は、電子カメラの実施形態である。
【００１６】
図１は、電子カメラの構成を示すブロック図である。
【００１７】
電子カメラの各ブロックの動作は、制御回路１１によって統括制御される。制御回路１１は、所定のプログラムを実行することにより、電子カメラが行う撮影などの各種の動作を制御する。なお、制御回路１１の実行するプログラムやプログラムの実行に必要となるデータは、不図示のＲＯＭに予め格納される。
【００１８】
バッファメモリ１２は、画像データや音声データの一時記憶領域などとして使用される。このバッファメモリ１２は、ＳＤＲＡＭ等によって構成される。バッファメモリ１２は、バス１３を介して制御回路１１と接続される。
【００１９】
操作部材１４は、モードダイヤル、撮影ボタン、メニューボタン、ＯＫボタン、十字キー、キャンセルキーなどを含む。操作部材１４は、撮影者等のユーザーが行う部材操作の内容に応じた操作信号を制御回路１１へ送る。制御回路１１は、その操作信号に基づいて、電子カメラの各部を制御し、例えば、レンズ駆動制御、撮影動作制御などを行う。
【００２０】
なお、モードダイヤルは、静止画撮影モード、動画撮影モード、データ転送モードなどの電子カメラの動作モードを選択するための操作部材である。
【００２１】
また、撮影ボタンは、撮影を指示するための操作部材である。撮影ボタンは、前記の動画撮影モードにおいては、動画撮影の開始（スタート）／停止（ストップ）ボタンとして機能し、また静止画撮影モードにおいては、通常のレリーズボタンとして機能する。この撮影ボタンは、半押し時にＯＮとなるスイッチのＳＷ１と、全押し時にＯＮとなるスイッチのＳＷ２とを有する二段ストローク式のスイッチで構成される。
【００２２】
また、メニューボタンは、表示装置１５の画面上にメニュー画面を表示させる指示を行うための操作部材である。
【００２３】
また、ＯＫボタンは、メニュー画面などにおいて、選択した項目の内容の確定や実行などを指示するための操作部材である。
【００２４】
また、十字キーは、例えば、メニュー画面などにおいては、その画面から所望の項目を選択するために、画面上に表示されるカーソルを、上、下、左、右の各方向へ移動させる指示を行うための操作部材である。
【００２５】
また、キャンセルキーは、十字キーによる項目の選択を取り消したり、操作の状態を１つ前に戻すなどの指示を行うための操作部材である。
【００２６】
表示装置１５は、カラー表示可能なＬＣＤディスプレイ等で構成されている。
【００２７】
表示装置１５は、撮影時には、画角等の確認用の電子ファインダーとして利用することができる。また、表示装置１５は、ユーザーインターフェース用の表示画面としても利用される。その場合、表示装置１５には、必要に応じて、メニューや選択項目、設定内容などの各種の情報が表示される。
【００２８】
なお、表示装置１５の画面表示（モニタ表示）のＯＮ／ＯＦＦの制御は、制御回路１１が、表示制御回路２７に対してその旨の指令を与えることによって行える。
【００２９】
記録インターフェース（Ｉ／Ｆ）１６には、記録媒体１７を接続するためのコネクタが形成されている。記録Ｉ／Ｆ１６は、そのコネクタに接続された記録媒体１７にアクセスして、各種データの書き込みや読み出しを行う。
【００３０】
制御回路１１は、この記録Ｉ／Ｆ１６を介して、電子カメラが撮影した動画や静止画の画像データなどを記録媒体１７へ記録する。また、制御回路１１は、記録Ｉ／Ｆ１６を介して、それら画像データの他、音声データ、音楽データ、電子メールデータなどの各種データを記録媒体１７から取得する。
【００３１】
なお、記録媒体１７は、半導体メモリを内蔵したメモリカードや、小型のハードディスクなどである。
【００３２】
無線通信部１８は、ＢｌｕｅＴｏｏｔｈ、ＩｒＤＡ、無線ＬＡＮなどの無線通信規格に基づく通信機能を有した回路である。特に、非接触ＩＣカードやＲＦＩＤ（Radio Frequency-Identification）などのように、微弱な電波を利用して１〜１００ｃｍ程度の距離内で通信を行う近距離無線通信機能を有している。
【００３３】
制御回路１１は、この無線通信部１８を介して、画像データを含む各種のデータを外部の装置との間で転送する。
【００３４】
メモリ１９は、転送対象データを示す情報などを記憶する不揮発性のメモリである。なお、転送対象データを示す情報については後述する。
【００３５】
次に、電子カメラの撮影に係るブロックについて説明する。
【００３６】
モードダイヤルの操作によって動画又は静止画撮影モードが選択されると、ＣＣＤ固体撮像素子（以下、単に、ＣＣＤとする。）２０を含む撮像系各部に電源が供給される。これにより、電子カメラは、撮影が可能な状態となる。
【００３７】
レンズユニット２１は、撮影レンズと絞り兼用シャッターとを含む光学ユニットである。レンズユニット２１は、制御回路１１により制御されるレンズ駆動部２２によって駆動され、ズーム制御、フォーカス制御及びアイリス制御が行われる。
【００３８】
レンズユニット２１を通過した被写体光は、ＣＣＤ２０の受光面に結像される。なお、ＣＣＤ２０の受光面には、多数のフォトダイオード（受光素子）が二次元状に配列されると共に、各フォトダイオードに対応して、赤（Ｒ）、緑（Ｇ）、青（Ｂ）の原色カラーフィルタが所定の配列構造（ベイヤー、Ｇストライプなど）で配置されている。これにより、ＣＣＤ２０が出力する信号には、Ｒ、Ｇ、Ｂの３種類の成分が含まれることになる。また、ＣＣＤ２０は、各フォトダイオードの電荷蓄積時間を制御する電子シャッター機能を有している。制御回路１１は、タイミングジェネレータ（ＴＧ）２３を介して、ＣＣＤ２０の電荷蓄積時間の制御を行う。
【００３９】
なお、本実施形態の電子カメラでは、ＣＣＤ２０に代えて、ＭＯＳ型など他の方式の撮像素子を用いることもできる。
【００４０】
ＣＣＤ２０の受光面に形成された被写体像は、各フォトダイオードによって入射光量に応じた量の信号電荷に変換されて蓄積される。ここで、ＣＣＤ２０の各フォトダイオードに蓄積された信号電荷を画像信号（信号電荷に応じた電圧信号）として読み出すには、制御回路１１は、ＴＧ２３を駆動する。この駆動により、各フォトダイオードに蓄積された信号電荷は、ＴＧ２３から与えられる駆動パルスに基づき、所定のフレームレート（例えば、３０ｆｐｓなど）で、画像信号として順次読み出される。
【００４１】
ＣＣＤ２０から順次出力される画像信号（ＲＧＢ信号）は、信号処理回路２４により、ＣＤＳ（相関二重サンプリング）、増幅（ゲイン調整）、Ａ／Ｄ変換などの信号処理が施された後に、デジタル信号の画像データとして画像入力回路２５へ出力される。
【００４２】
なお、信号処理回路２４は、そのゲイン調整の調整量（増幅率）を制御回路１１からの指令に基づき設定し、それによってＩＳＯ感度に相当する撮影感度の調整を行う。
【００４３】
また、信号処理回路２４は、ＴＧ２３から与えられる駆動パルスに基づいて前記動作を行う。
【００４４】
画像入力回路２５は、入力されるデジタル信号のＲＧＢの画像データを、制御回路１１からの指令に従い、画像処理回路２６、ＡＥ／ＡＷＢ回路２８、ＡＦ回路２９へ出力する。
【００４５】
画像入力回路２５を介して画像処理回路２６に入力されるＲＧＢの画像データは、画像処理回路２６において、輝度信号（Ｙ信号）及び色差信号（Ｃｒ，Ｃｂ信号又はＵＶ信号）の画像データに変換される。また、変換後の画像データには、ガンマ補正、輪郭補正、ホワイトバランス補正等の所定の画像処理が画像処理回路２６によって施される。そして、その画像処理後の画像データは、画像処理回路２６によりバッファメモリ１２へ出力される。なお、このような画像処理回路２６での輝度／色差信号変換を含む画像処理は、制御回路１１の指令に従って行われる。
【００４６】
このようにして、１フレーム分の画像データが、順次バッファメモリ１２へ格納されて取得される。
【００４７】
ここで、画像データを表示装置１５へモニタ出力する場合、制御回路１１は、前述のように格納される画像データをバッファメモリ１２から順次読み出し、それをバス１３を介して表示制御回路２７へ出力する。そして、表示制御回路２７は、入力された画像データを表示用の所定方式の信号（例えば、ＮＴＳＣ方式の複合映像信号）に変換して表示装置１５へ出力する。
【００４８】
このように、バッファメモリ１２の画像データを基に生成される映像信号が表示装置１５へ出力されることで、被写体の映像がリアルタイムに表示装置１５の画面に表示される。ユーザーは、この表示により撮影画角等を確認することができる（ライブビュー機能）。
【００４９】
撮影ボタンが半押しされてＳＷ１がＯＮとなると、電子カメラは、ＡＥ及びＡＦ動作を開始する。
【００５０】
具体的には、制御回路１１の指令に従い、ＡＥ／ＡＷＢ回路２８及びＡＦ回路２９が、ＣＣＤ２０から出力され画像入力回路２５を介して入力されるＲＧＢの画像データを基に、以下のようにＡＥ及びＡＦ動作を行う。
【００５１】
ＡＥ／ＡＷＢ回路２８は、入力される画像データの画面を複数のエリア（例えば、８×８）に分割し、分割エリアごとにＲＧＢ信号を積算すると、その積算値を制御回路１１に提供する。制御回路１１は、ＡＥ／ＡＷＢ回路２８から得た積算値に基づいて被写体の明るさ（被写体輝度）を検出すると共に、撮影の露出値（ＥＶ値）を算出する（ＡＥ演算）。また、制御回路１１は、算出したＥＶ値と所定のプログラム線図（不図示のＲＯＭに予め格納される）とに基づき、絞り値やシャッタースピードなどの露出条件を決定する。そして、制御回路１１は、その露出条件の下で、ＣＣＤ２０の電子シャッター機能及びレンズユニット２１のアイリス、信号処理回路２４のゲインなどを制御することで適正な露光量を得る。
【００５２】
また、ＡＥ／ＡＷＢ回路２８は、分割エリアごとにＲＧＢ信号の色別の平均積算値を算出し、その算出結果を制御回路１１に提供する。制御回路１１は、算出結果であるＲの積算値、Ｂの積算値、Ｇの積算値を得て、Ｒ／Ｇ及びＢ／Ｇの比を求めると共に、そのＲ／Ｇ及びＢ／Ｇの比の値と上述のＡＥ演算によるＥＶ値とに基づいてシーン判別（光源種の判別）を行う。そして、制御回路１１は、判別したシーンに対応する所定のホワイトバランス調整値に基づき、各比の値がおよそ１（つまり、１画面においてＲＧＢの積算比率がＲ：Ｇ：Ｂ≒１：１：１）となるようにホワイトバランス調整回路のアンプゲインを制御して各色チャネルの信号を補正する。
【００５３】
なお、シーン判別においては、上述したＲ／Ｇ及びＢ／Ｇの比の値に代えて、色差信号のＣｒ（Ｒ−Ｙ）及びＣｂ（Ｂ−Ｙ）の値などを用いてもよい。
【００５４】
電子カメラが行うＡＦ制御には、例えば、画像データのＧ信号の高周波成分が極大になるように不図示のフォーカシングレンズ（撮影レンズを構成するレンズ光学系のうちの焦点調節用の移動レンズ）を移動させるコントラストＡＦが適用される。
【００５５】
よって、ＡＦ回路２９は、入力される画像データのＧ信号の高周波成分のみを通過させるハイパスフィルタ処理、絶対値化処理、画面内（例えば、画面中央部）に予め設定されているフォーカス対象エリア内の信号を切り出すＡＦエリア抽出処理を実行する。そして、ＡＦ回路２９は、それら処理の実行により抽出したＡＦエリア内の信号の絶対値を積算すると、その積算値を制御回路１１に提供する。制御回路１１は、レンズ駆動部２２を駆動して、不図示のフォーカシングレンズを移動させながら、複数のＡＦ検出ポイントで焦点評価値（ＡＦ評価値）を演算すると共に、そのＡＦ評価値が極大となるレンズ位置を合焦位置として決定する。
【００５６】
このようなＡＦ制御により、フォーカシングレンズ（不図示）の焦点調節が行われる。
【００５７】
なお、ＡＦ評価値の演算には、画像データのＧ信号を利用する代わりに、輝度信号（Ｙ信号）を利用してもよい。
【００５８】
また、電子カメラが行うＡＦ制御には、このような公知のコントラスト方式のＡＦに加えて、公知の瞳分割方式による位相差ＡＦを適用してもよい。もちろん、コントラスト方式のＡＦに代えて位相差ＡＦのみを適用してもよい。
【００５９】
撮影ボタンが全押しされてＳＷ２がＯＮとなると、電子カメラは、撮影動作を開始する。
【００６０】
具体的には、制御回路１１が、静止画撮影時においては、全画素読み出しで１フレーム分の画像が取得されるようにＴＧ２３を駆動する。これによりＣＣＤ２０は、１フレーム分の画像信号を出力する。一方、動画撮影時においては、制御回路１１が、所定のフレームレートで画像が順次取得されるようにＴＧ２３を駆動する。これによりＣＣＤ２０は、画像信号をそのフレームレートに応じて順次出力する。
【００６１】
ＣＣＤ２０から出力される画像信号は、上述したように画像処理回路２６によって輝度／色差信号変換を含む画像処理が施された後に、バッファメモリ１２へ格納される。
【００６２】
バッファメモリ１２に格納された輝度／色差信号の画像データは、圧縮／伸張回路３０により所定の形式に従って圧縮処理された後、記録Ｉ／Ｆ１６を介して記録媒体１７へ記録される。静止画の撮影時には、バッファメモリ１２の画像データは、例えば、ＪＰＥＧ（Joint Photographic Experts Group）形式等に従って圧縮されて記録される。一方、動画の撮影時には、画像データは、例えば、ＭＰＥＧ（Moving Picture Experts Group）形式やモーションＪＰＥＧ形式等に従って圧縮されて記録される。但し、電子カメラが非圧縮記録モードに設定された場合には、バッファメモリ１２の画像データは、圧縮処理されずに非圧縮のまま記録媒体１７へ記録される。
【００６３】
なお、画像処理回路２６での画像処理および圧縮／伸張回路３０での圧縮処理は、制御回路１１の指令に従って行われる。また、圧縮／伸張回路３０による圧縮処理後の画像データは、制御回路１１によって、記録Ｉ／Ｆ１６を介し記録媒体１７へ記録される。
【００６４】
電子カメラは、特に動画撮影中には、所謂「山登り方式」の連続的なＡＦ（コンティニアスＡＦ）動作を行う。つまり、不図示のフォーカシングレンズを光軸に沿って前後方向に微小移動させて、焦点評価値（ＡＦ評価値）の増減をチェックしながら、ＡＦ評価値が極大となる点まで、徐々にフォーカシングレンズ（不図示）を移動させる。
【００６５】
また、動画撮影時には、電子カメラでは、マイク３１により音声が検出され、その検出信号（音声信号）が、Ａ／Ｄ変換器３２によりデジタル信号（音声データ）に変換されて、音声信号処理回路３３へ出力される。ここで、音声信号処理回路３３は、制御回路１１の指令に従って、入力の音声データを所定の形式に変換する。このようにして生成された音声データは、音声信号処理回路３３によりバッファメモリ１２へ格納される。そして、音声データは、バッファメモリ１２の画像データと共に圧縮／伸張回路３０で圧縮処理された後に、記録Ｉ／Ｆ１６を介して記録媒体１７へ記録される。
【００６６】
また、動画撮影中に、もう一度、撮影ボタンが半押し又は全押しされてＳＷ１がＯＮとなると、電子カメラは、動画の撮影動作を停止する。
【００６７】
ところで、本実施形態の電子カメラは、上記のようにして撮影した動画や静止画の画像データを含む各種のデータを外部の装置へ転送する機能を有している。
【００６８】
既述のとおり、従来の電子カメラでは、データ転送中にシャッターチャンスが訪れた場合、データ転送を一旦中止して撮影モードに切り替えるなどの操作を行わなければ撮影を行うことができなかった。
【００６９】
そこで、本実施形態の電子カメラでは、シャッターチャンスの到来に備えて撮影準備をしたままの状態（撮影待機状態）で各種のデータを外部の装置へ転送する機能（撮影待機形データ転送機能）を備えることによって従来の問題を解決する。
【００７０】
以下では、当該機能について本実施形態の電子カメラが行う動作を、図２及び図３の流れ図を参照して説明する。図２及び図３の流れ図の処理は、例えば、モードダイヤルの操作によってデータ転送モードのうちの撮影待機形データ転送モードが選択された場合などに実行されるものである。
【００７１】
（以下、図２）
ステップ１０１：制御回路１１は、撮影待機状態とするようにカメラの撮像系各部を駆動する。
【００７２】
具体的には、制御回路１１は、レンズ駆動部２２を駆動して、不図示のフォーカシングレンズをパンフォーカス位置（過焦点距離位置）にセットする。特にレンズユニット２１が沈胴式である場合には、ここでその繰り出し動作を行って、フォーカシングレンズ（不図示）を当該位置にセットするようにする。
【００７３】
また、制御回路１１は、所定のフレームレートでＣＣＤ２０から画像信号が出力されるようにＴＧ２３を駆動する。
【００７４】
また、制御回路１１は、ＡＥ／ＡＷＢ回路２８を駆動して、画像入力回路２５から順次出力される画像データ（ＣＣＤ２０からの画像信号がデジタル化されたもの。以下、この画像データをスルー画像データとする。）を基に、上述したＡＥ動作、またホワイトバランス調整回路のアンプゲイン制御を行う。
【００７５】
また、制御回路１１は、画像処理回路２６を駆動して、画像入力回路２５から順次出力されるスルー画像データに対し上述した輝度／色差信号変換を含む画像処理を施させる。この画像処理後のスルー画像データは、順次バッファメモリ１２へ格納される。
【００７６】
なお、この撮影待機状態では、ＡＦ動作は行われず、表示装置１５のモニタ表示はＯＦＦとされる。
【００７７】
ステップ１０２：制御回路１１は、表示制御回路２７に指令を与えて、表示装置１５のモニタ表示をＯＮとする。
【００７８】
ステップ１０３：制御回路１１は、ユーザーに外部へ転送したいデータを指定させる。具体的には、例えば、表示装置１５にＧＵＩ画面を表示させ、それを介して、ユーザーに、記録媒体１７に記録された各種データ（動画や静止画の画像データ、音声データなど）の中から外部へ転送したいデータを指定させる。
【００７９】
ステップ１０４：制御回路１１は、表示制御回路２７に指令を与えて、表示装置１５のモニタ表示をＯＦＦとする。
【００８０】
ステップ１０５：制御回路１１は、ユーザーの指定したデータを、記録Ｉ／Ｆ１６を介して記録媒体１７からバッファメモリ１２へ読み出すと共に、その読み出したデータを転送対象データとして設定する。なお、上記ステップ１０３において、ユーザーが、転送したいデータとして記録媒体１７から複数（２つ以上）のデータを指定した場合、ここでは、それら複数のうちの例えばユーザーが最初に指定したデータを転送対象データとして設定するようにする。
【００８１】
ステップ１０６：制御回路１１は、ユーザーの指定した全てのデータの転送が終了したか否かを判定する。そして、制御回路１１は、全てのデータの転送が終了した場合にはステップ１３８へ移行し（Ｙｅｓ側）、一方、未だ転送の終了していないデータが有る場合にはステップ１０７へ移行する（Ｎｏ側）。
【００８２】
ステップ１０７：制御回路１１は、無線通信部１８を駆動して、転送対象データの外部転送を開始する。
【００８３】
ステップ１０８：制御回路１１は、例えば無線通信部１８から通知される通信状態に関する情報を基に、外部装置と通信が可能な状態であるか否かを判定する。そして、制御回路１１は、通信が可能な状態であればステップ１３４へ移行し（Ｙｅｓ側）、一方、例えば電子カメラが外部装置から一定距離以上離れてしまい無線通信圏外になってしまったなど、外部装置と通信できない状態であれば、電子カメラをデータ転送モードから撮影モードへ移行させるためにステップ１０９へ移行する（Ｎｏ側）。
【００８４】
（以下、図３）
ステップ１０９：制御回路１１は、転送対象データを示す情報（転送対象データを一意に特定可能な「ファイル名」などの情報）をメモリ１９に記録して転送処理を中断する。
【００８５】
ステップ１１０：制御回路１１は、表示制御回路２７に指令を与えて、表示装置１５のモニタ表示をＯＮとする。
【００８６】
ステップ１１１：制御回路１１は、上記ステップ１０１での撮像系各部の駆動によってバッファメモリ１２に格納されるスルー画像データを順次読み出すと、それをバス１３を介して表示制御回路２７へ出力する。このようにして、表示装置１５の画面へのスルー画像表示（ライブビュー表示）が開始される。
【００８７】
ステップ１１２：制御回路１１は、撮影ボタンのＳＷ１のＯＮ（半押し）が検出されたか否かを判定する。そして、制御回路１１は、半押しが検出された場合にはステップ１１３へ移行し（Ｙｅｓ側）、一方、半押しが検出されない場合にはステップ１３０へ移行する（Ｎｏ側）。
【００８８】
ステップ１１３：制御回路１１は、所定時間内に撮影ボタンのＳＷ２のＯＮ（全押し）が検出されるかどうかを調べるためのタイマー（カウントダウンタイマー）をスタートする。
【００８９】
ステップ１１４：制御回路１１は、撮影ボタンのＳＷ２のＯＮ（全押し）が検出されたか否かを判定する。そして、制御回路１１は、全押しが検出された場合にはステップ１２３へ移行し（Ｙｅｓ側）、一方、全押しが検出されない場合にはステップ１１５へ移行する（Ｎｏ側）。
【００９０】
ステップ１１５：制御回路１１は、撮影ボタンのＳＷ１のＯＦＦが検出されたか、即ち、撮影ボタンの半押しが解除されたか否かを判定する。そして、制御回路１１は、撮影ボタンの半押しが解除された場合にはステップ１１６へ移行し（Ｙｅｓ側）、一方、撮影ボタンの半押しが継続されている場合にはステップ１１８へ移行する（Ｎｏ側）。
【００９１】
ステップ１１６：制御回路１１は、上記ステップ１１３でスタートさせたタイマーをストップする。
【００９２】
ステップ１１７：制御回路１１は、ＡＦ回路２９及びレンズ駆動部２２と協働して、画像入力回路２５から順次出力されるスルー画像データを基に、上述のコンティニアスＡＦ動作を開始する。そして、制御回路１１は、ステップ１２６へ移行する。
【００９３】
ステップ１１８：制御回路１１は、上記ステップ１１３でスタートさせたタイマーがタイムアウトしたか否かを判定する。そして、制御回路１１は、タイマーがタイムアウトした場合にはステップ１１９へ移行し（Ｙｅｓ側）、一方、タイマーが未だタイムアウトしていない場合にはステップ１１４へ移行する（Ｎｏ側）。
【００９４】
ステップ１１９：制御回路１１は、ＡＦ回路２９及びレンズ駆動部２２と協働して、画像入力回路２５から順次出力されるスルー画像データを基に、上述したＡＦ動作を行う。そして被写体に合焦したところでフォーカスをロックさせる（ワンショットＡＦ動作）。
【００９５】
ステップ１２０：制御回路１１は、撮影ボタンのＳＷ１のＯＦＦが検出されたか、即ち、撮影ボタンの半押しが解除されたか否かを判定する。そして、制御回路１１は、撮影ボタンの半押しが解除された場合にはステップ１２１へ移行し（Ｙｅｓ側）、一方、撮影ボタンの半押しが継続されている場合にはステップ１２２へ移行する（Ｎｏ側）。
【００９６】
ステップ１２１：制御回路１１は、ＡＦ回路２９及びレンズ駆動部２２と協働して、画像入力回路２５から順次出力されるスルー画像データを基に、上述のコンティニアスＡＦ動作を開始する。そして、制御回路１１は、ステップ１２６へ移行する。
【００９７】
ステップ１２２：制御回路１１は、撮影ボタンのＳＷ２のＯＮ（全押し）が検出されたか否かを判定する。そして、制御回路１１は、全押しが検出された場合にはステップ１２３へ移行し（Ｙｅｓ側）、一方、全押しが検出されない場合にはステップ１２０へ移行する（Ｎｏ側）。
【００９８】
ステップ１２３：制御回路１１は、表示制御回路２７へのスルー画像データ出力を中止して表示装置１５の画面へのスルー画像表示を終了すると共に、ＴＧ２３の駆動を停止してスルー画像データの取得を終了する。
【００９９】
ステップ１２４：制御回路１１は、本撮影を実施する。つまり、全画素読み出しで１フレーム分の画像が取得されるようにＴＧ２３を駆動する。これによりＣＣＤ２０から出力された１フレーム分の画像信号は、上述したように画像処理回路２６によって輝度／色差信号変換を含む画像処理が施された後に、バッファメモリ１２へ格納される。
【０１００】
その後、制御回路１１は、バッファメモリ１２に格納された画像データ（静止画像データ）を、バス１３を介して表示制御回路２７へ出力する。これにより、表示装置１５の画面には本撮影で取得された画像（静止画像）の内容が表示される。また、制御回路１１は、圧縮／伸張回路３０を駆動して、バッファメモリ１２に格納された画像データ（静止画像データ）を、例えば、ＪＰＥＧなどの形式で圧縮すると共に、その圧縮処理後の画像データを、記録Ｉ／Ｆ１６を介して記録媒体１７へ記録する。
【０１０１】
ステップ１２５：制御回路１１は、所定のフレームレートでＣＣＤ２０から画像信号が出力されるように再度ＴＧ２３を駆動する。
【０１０２】
また、制御回路１１は、ＡＥ／ＡＷＢ回路２８を駆動して、画像入力回路２５から順次出力されるスルー画像データを基に、上述したＡＥ動作、ホワイトバランス調整回路のアンプゲイン制御を行う。
【０１０３】
さらに、制御回路１１は、ＡＦ回路２９及びレンズ駆動部２２と協働して、画像入力回路２５から順次出力されるスルー画像データを基に、上述のコンティニアスＡＦ動作を開始する。
【０１０４】
また、制御回路１１は、画像処理回路２６を駆動して、画像入力回路２５から順次出力されるスルー画像データに対し上述した輝度／色差信号変換を含む画像処理を施させる。この画像処理後のスルー画像データは、順次バッファメモリ１２へ格納される。
【０１０５】
また、制御回路１１は、バッファメモリ１２に格納されるスルー画像データを順次読み出すと、それをバス１３を介して表示制御回路２７へ出力する。このようにして、表示装置１５の画面へのスルー画像が再び開始される。
【０１０６】
ステップ１２６：制御回路１１は、例えば無線通信部１８から通知される通信状態に関する情報を基に、外部装置と通信が可能な状態であるか否かを判定する。そして、制御回路１１は、通信が可能な状態になったならば、電子カメラを再び撮影待機モードとし、撮影モードからデータ転送モードへ移行させるためにステップ１２８へ移行する（Ｙｅｓ側）。一方、制御回路１１は、依然外部装置と通信できない状態であればステップ１２７へ移行する（Ｎｏ側）。
【０１０７】
ステップ１２７：制御回路１１は、撮影ボタンのＳＷ１のＯＮ（半押し）が検出されたか否かを判定する。そして、制御回路１１は、半押しが検出された場合にはステップ１１９へ移行し（Ｙｅｓ側）、一方、半押しが検出されない場合にはステップ１２６へ移行する（Ｎｏ側）。
【０１０８】
ステップ１２８：制御回路１１は、表示制御回路２７へのスルー画像データ出力を中止して表示装置１５の画面へのスルー画像表示を終了する。
【０１０９】
ステップ１２９：制御回路１１は、ＡＦ回路２９及びレンズ駆動部２２の駆動を停止してコンティニアスＡＦ動作を終了させると、再度レンズ駆動部２２を駆動して、不図示のフォーカシングレンズをパンフォーカス位置（過焦点距離位置）にセットする。そして、制御回路１１は、ステップ１３２へ移行する。
【０１１０】
ステップ１３０：制御回路１１は、例えば無線通信部１８から通知される通信状態に関する情報を基に、外部装置と通信が可能な状態であるか否かを判定する。そして、制御回路１１は、通信が可能な状態になったならば、電子カメラを再び撮影待機モードとし、撮影モードからデータ転送モードへ移行させるためにステップ１３１へ移行する（Ｙｅｓ側）。一方、制御回路１１は、依然外部装置と通信できない状態であればステップ１１２へ移行する（Ｎｏ側）。
【０１１１】
ステップ１３１：制御回路１１は、表示制御回路２７へのスルー画像データ出力を中止して表示装置１５の画面へのスルー画像表示を終了する。
【０１１２】
ステップ１３２：制御回路１１は、表示制御回路２７に指令を与えて、表示装置１５のモニタ表示をＯＦＦとする。
【０１１３】
ステップ１３３：制御回路１１は、上記ステップ１０９でメモリ１９に記録した情報を基に転送対象データを設定する。具体的には、制御回路１１は、メモリ１９の情報（ファイル名など）を基に特定したデータ（転送中断となったデータ）を、記録Ｉ／Ｆ１６を介して記録媒体１７からバッファメモリ１２へ読み出すと共に、その読み出したデータを転送対象データとして設定する。そして、制御回路１１は、ステップ１０６へ移行する。
【０１１４】
（以下、図２）
ステップ１３４：制御回路１１は、例えば無線通信部１８から通知される通信状態に関する情報を基に、転送対象データの転送処理が終了したか否かを判定する。そして、制御回路１１は、転送処理が終了した場合にはステップ１３５へ移行し（Ｙｅｓ側）、一方、転送継続中であるなど、転送処理が未だ終了していない場合にはステップ１０８へ移行する（Ｎｏ側）。
【０１１５】
ステップ１３５：制御回路１１は、転送対象データを転送後に削除する指定（転送後削除指定）がされているか否かを判定する。なお、転送後削除指定は、ユーザーが、例えば表示装置１５に表示されるＧＵＩ画面などから行うことができる。そして、制御回路１１は、転送後削除指定がされている場合はステップ１３６へ移行し（Ｙｅｓ側）、一方、転送後削除指定がされていない場合はステップ１３７へ移行する（Ｎｏ側）。
【０１１６】
ステップ１３６：制御回路１１は、記録Ｉ／Ｆ１６を介して、記録媒体１７から転送対象データの元データ（オリジナル）を削除する。
【０１１７】
ステップ１３７：制御回路１１は、上記ステップ１０３でユーザーが指定したデータのうちの次のデータを転送対象データとして設定する。具体的には、制御回路１１は、当該次のデータを、記録Ｉ／Ｆ１６を介して記録媒体１７からバッファメモリ１２へ読み出すと共に、その読み出したデータを転送対象データとして設定する。そして、制御回路１１は、ステップ１０６へ移行する。なお、ユーザーの指定した全てのデータの転送が終了して次のデータが無い場合には、制御回路１１は、この設定処理を行わずにステップ１０６へ移行する。
【０１１８】
ステップ１３８：制御回路１１は、撮影待機形データ転送モード終了の指示がされたか否かを判定する。なお、その終了の指示は、ユーザーが、例えば、モードダイヤルの操作によって撮影待機形データ転送モード以外のモードを選択することなどによって行える。そして、制御回路１１は、終了の指示がされた場合にはステップ１３９へ移行し（Ｙｅｓ側）、一方、終了の指示がされていない場合にはステップ１０２へ移行する（Ｎｏ側）。
【０１１９】
ステップ１３９：制御回路１１は、カメラの撮像系各部の駆動を停止して、上記図２及び図３の流れ図の処理を終了する。
【０１２０】
（実施形態の補足事項）
なお、電子カメラが手ブレ補正（ＶＲ）機能を有する場合には、撮影待機状態とするときにＶＲ機能をＯＮにするとよい。そうすれば、急なシャッターチャンスの到来で慌てるようにして撮影を行う場合にも、手ブレの少ない良好な画像を撮影することができるようになる。
【０１２１】
また、上記では、通信相手となる外部の装置との通信を無線通信方式によって行うように説明したが、通信は、例えば有線ＬＡＮなどの有線通信方式によって行うようにしてもよい。そうした場合、外部装置と通信できない状態は、例えば、ユーザーが、接続されているＬＡＮケーブルを電子カメラから外したときなどに検出される。
【０１２２】
また、上記では、外部装置と通信できない状態となり電子カメラが撮影モードへ移行した場合に静止画を撮影できるようにしたが、動画を撮影できるようにしてもよい。
【０１２３】
また、上記のデータ転送モードでのデータ転送中に、電子カメラの電池残量が所定量よりも少なくなった場合には、外部装置との通信が可能であるか否かに関わらず、自動的にデータ転送処理を中止するようにしてもよい。そうした場合、転送処理中であったデータ（転送対象データ）を示す情報をメモリに記録しておき、電子カメラの電池残量が所定量以上に回復したときに、記録したメモリの情報を基に転送処理中であったデータを特定して、そのデータから転送を再開するようにしてもよい。
【０１２４】
また、データ転送中に、通信相手となる外部装置の電池残量が少なくなった場合にも、これと同様の処理を行うようにしてもよい。そうした場合、外部装置で電池残量が少なくなったときに電子カメラに対してその旨を通知するようにし、電子カメラではその通知をトリガにしてデータ転送処理を中止すると共に、転送処理中であったデータ（転送対象データ）を示す情報をメモリに記録する。そして、外部装置で電池残量が回復したときに電子カメラに対してその旨を通知するようにし、電子カメラではその通知をトリガにして、先に記録したメモリの情報を基に転送処理中であったデータを特定して、そのデータから転送を再開するようにする。
【０１２５】
（実施形態の作用効果）
上記実施形態の電子カメラでは、撮影待機形データ転送モードが選択されると、撮影待機状態とするようにカメラの撮像系各部が駆動される。その場合、レンズ駆動部２２が駆動されて、不図示のフォーカシングレンズがパンフォーカス位置（過焦点距離位置）にセットされる。また、所定のフレームレートでＣＣＤ２０から画像信号が出力されるようにＴＧ２３が駆動される。また、ＡＥ／ＡＷＢ回路２８が駆動されて、上述したＡＥ動作、またホワイトバランス調整回路のアンプゲイン制御が行われる。また、画像処理回路２６が駆動されて、画像入力回路２５から順次出力されるスルー画像データに対し上述した輝度／色差信号変換を含む画像処理が施される。なお、撮影待機状態では、ＡＦ動作は行われず、表示装置１５のモニタ表示はＯＦＦとされる。そして、このように電子カメラの撮像系各部を駆動した撮影準備をしたままの状態（撮影待機状態）で、外部へのデータ転送を行うデータ転送モードの処理が実行される。
【０１２６】
また、データ転送モードでのデータ転送中に、例えば電子カメラが外部装置から一定距離以上離れてしまい無線通信圏外になってしまったなど、外部装置と通信できない状態になったことが検出された場合には、データ転送が中断されて、電子カメラはデータ転送モードから撮影モードへ自動的に移行される。ユーザーは、この撮影モードで撮影ボタンを押下すれば、即座に撮影を実施することができる。また、そのモードの移行においてデータ転送を中断する際には、転送中であったデータ（転送対象データ）を示す情報がメモリ１９に記録される。
【０１２７】
また、撮影モードへ移行した後に、外部装置との通信が可能になったことが検出された場合には、電子カメラを再び撮影待機モードとし、撮影モードからデータ転送モードへ移行させるようにモードの切り替え処理が行われる。また、そのモードの移行の際には、メモリ１９に記録された情報を基に転送中であったデータが特定され、モード移行後のデータ転送処理においては、その特定されたデータ（中断となったデータ）から転送が再開される。
【０１２８】
つまり、図４に示すように、撮影待機形データ転送モードで動作中に、電子カメラと外部装置（画像サーバーなど）とが無線通信圏内に在る場合には、電子カメラはデータ転送モードで動作して外部装置との間でデータ転送を実行する。
【０１２９】
また、その状態で、シャッターチャンスが訪れて、撮影を実施するためにユーザーが電子カメラを外部装置から無線通信圏外となるところまで引き離すと、電子カメラは、データ転送を中断して、自動的に撮影モードへ移行する。ユーザーは、この撮影モードで撮影ボタンを押下すれば、即座に撮影を実施できる。
【０１３０】
また、撮影モードで撮影が終わるなどして、ユーザーが電子カメラを外部装置に無線通信圏内となるところまで近づけると、電子カメラは、自動的にデータ転送モードへ移行して、中断となったデータから転送処理を行うようにしてデータ転送を再開する。
【０１３１】
なお、無線通信方式に代えて、例えば有線ＬＡＮなどの有線通信方式によって通信を行う場合には、接続されているＬＡＮケーブルを電子カメラから外すことで即座に撮影が実施できるようになる。また、そのＬＡＮケーブルを電子カメラに接続し直せば即座にデータ転送を再開することができる。
【０１３２】
このように、上記実施形態の電子カメラでは、データ転送中にシャッターチャンスが訪れた場合、ユーザーは、電子カメラを無線通信圏外へ移動させる、或いは電子カメラからＬＡＮケーブルを外す、即ち、電子カメラを外部装置と通信できない状態にすれば、即座に撮影が実施できるようになる。
【０１３３】
従って、上記実施形態の電子カメラによれば、ユーザーは、データ転送中にシャッターチャンスが訪れた場合にも、そのシャッターチャンスを逃さずに撮影を行うことができる。
【０１３４】
また、上記実施形態の電子カメラでは、撮影モードからデータ転送モードへ移行した後には、中断となったデータから転送処理が行われるようにしてデータ転送が再開されるので、ユーザーは、電子カメラがデータ転送モードへ移行した後に、中断となったデータを再度転送対象データとするように指定する手間が省ける。
【０１３５】
また、上記実施形態の電子カメラでは、ユーザーは、電子カメラを無線通信圏外／圏内へ移動させるだけ、或いは電子カメラに対してＬＡＮケーブルを挿抜するだけで、電子カメラを撮影モード又はデータ転送モードに自動的に切り替えることができるので、それらモードの切り替えを簡単に行うことができる。
【０１３６】
また、上記実施形態の電子カメラでは、撮影待機形データ転送モードが選択されると、撮影待機状態とするようにカメラの撮像系各部が駆動される。このとき、データ転送モードでのデータ転送が実行される前に、予め、撮影モードでの撮影条件として、不図示のフォーカシングレンズがパンフォーカス位置（過焦点距離位置）にセットされる。そして、電子カメラが外部装置と通信できない状態となったときの撮影モードにおいて、撮影ボタンが一気押しされると、つまり、撮影ボタンの半押し（「ＳＷ１」のＯＮ）の検出から所定時間が経過する前に撮影ボタンの全押し（「ＳＷ２」のＯＮ）が検出されると、その撮影条件により本撮影が行われる。即ち、不図示のフォーカシングレンズがパンフォーカス位置にセットされた状態で本撮影が行われる。そのため、急なシャッターチャンスの到来でピント合わせを行う時間が殆ど無い場合にも、ピントの良好な画像を撮影することができるようになる。
【０１３７】
また、上記実施形態の電子カメラでは、電子カメラが外部装置と通信できない状態となったときの撮影モードにおいて、撮影ボタンの半押し（「ＳＷ１」のＯＮ）の検出から所定時間が経過した場合には、撮影条件が、ＡＦ動作の実行によって不図示のフォーカシングレンズの焦点調節が行われるように変更される。そのため、本撮影を行うのに時間的に余裕があると考えられる場合は、ＡＦ動作が行われるので、ピントの良好な画像を撮影することができるようになる。
【０１３８】
（その他）
本発明は、電子カメラ以外にも、静止画や動画の撮影が可能な装置／機器、例えば、デジタルビデオカメラや携帯電話機などにも適用可能である。
【符号の説明】
【０１３９】
１１…制御回路，１２…バッファメモリ，１３…バス，１４…操作部材，１５…表示装置，１６…記録インターフェース（Ｉ／Ｆ），１７…記録媒体，１８…無線通信部，１９…メモリ，２０…ＣＣＤ固体撮像素子（ＣＣＤ），２１…レンズユニット，２２…レンズ駆動部，２３…タイミングジェネレータ（ＴＧ），２４…信号処理回路，２５…画像入力回路，２６…画像処理回路，２７…表示制御回路，２８…ＡＥ／ＡＷＢ回路，２９…ＡＦ回路，３０…圧縮／伸張回路，３１…マイク，３２…Ａ／Ｄ変換器，３３…音声信号処理回路
【図１】
2011049953.tif 000003
【図２】
2011049953.tif 000004
【図３】
2011049953.tif 000005
【図４】
2011049953.tif 000006